(57)【要約】  エレベータの操作盤において、筐体のベースは、背板部と横板部と縦板部とを有している。横板部の筐体外に臨む外面と、縦板部の上下方向の横板部側の端面とは、同一平面内に配置されている。背板部と横板部との間には、Ｌ字形のスリットが設けられている。スリットは、直線部と、直線部の縦板部とは反対側の端部から背板部内に突出している突出部とを有している。背板部に対して横板部が折り曲げられた状態では、横板部の直線部に臨む面が、背板部の壁とは反対側の面に重ねられている。
2016147249.tif 000002
【特許請求の範囲】
【請求項１】
ベースと、前記ベースに組み合わされているカバーとを有している筐体を備え、
前記ベースは、壁に固定される背板部と、前記背板部の上下方向の端部から前記カバー側へ直角に突出している横板部と、前記背板部の幅方向の端部から前記カバー側へ直角に突出している縦板部とを有しており、
前記背板部、前記横板部、及び前記縦板部は、共通の平板に折り曲げ加工を施して形成されており、
前記横板部の前記筐体外に臨む外面と、前記縦板部の上下方向の前記横板部側の端面とは、同一平面内に配置されており、
前記背板部と前記横板部との間には、Ｌ字形のスリットが設けられており、
前記スリットは、前記横板部の幅方向の前記縦板部側の端部から前記横板部の幅方向に沿って設けられている直線部と、前記直線部の前記縦板部とは反対側の端部から前記背板部内に突出している突出部とを有しており、
前記背板部に対して前記横板部が折り曲げられた状態では、前記横板部の前記直線部に臨む面が、前記背板部の前記壁とは反対側の面に重ねられているエレベータの操作盤。
【請求項２】
ベースと、前記ベースに組み合わされているカバーとを有している筐体を備え、
前記ベースは、壁に固定される背板部と、前記背板部の上下方向の端部から前記カバー側へ直角に突出している横板部と、前記背板部の幅方向の端部から前記カバー側へ直角に突出している縦板部とを有しており、
前記背板部、前記横板部、及び前記縦板部は、共通の平板に折り曲げ加工を施して形成されており、
前記縦板部の前記筐体外に臨む外面と、前記横板部の幅方向の前記縦板部側の端面とは、同一平面内に配置されており、
前記背板部と前記縦板部との間には、Ｌ字形のスリットが設けられており、
前記スリットは、前記縦板部の上下方向の前記横板部側の端部から上下方向に沿って設けられている直線部と、前記直線部の前記横板部とは反対側の端部から前記背板部内に突出している突出部とを有しており、
前記背板部に対して前記縦板部が折り曲げられた状態では、前記縦板部の前記直線部に臨む面が、前記背板部の前記壁とは反対側の面に重ねられているエレベータの操作盤。
【発明の詳細な説明】
【技術分野】
【０００１】
この発明は、例えば、かご室内に設けられているかご操作盤、又は乗場に設けられている乗場操作盤などのエレベータの操作盤に関するものである。
【背景技術】
【０００２】
従来のエレベータのうち、かご操作盤の筐体がかご室壁（袖壁又は側面壁）に埋め込まれているタイプのエレベータでは、かご操作盤の前面以外の部分がかご室内に露出していない。【０００３】
しかし、かご室壁の表面にかご操作盤を固定するタイプのエレベータでは、かご操作盤の筐体がかご室内に露出しているため、意匠性が低い。また、かご室壁が意図せず変形した場合、筐体の角部がかご室壁から浮き上がり、衣服又は荷物等が引っ掛かる可能性が生じる。さらに、筐体の角部が鋭利な状態であると、据付時にかご室壁等を傷つけないよう十分な注意が必要であり、作業性が低下する。【０００４】
これに対して、従来の制御盤筐体では、仕切板の側板部と上板部との間にスリットが設けられている（例えば、特許文献１参照）。
【先行技術文献】
【特許文献】
【０００５】
【特許文献１】特開２００１−２１７５７４号公報
【発明の概要】
【発明が解決しようとする課題】
【０００６】
しかし、上記のような従来の制御盤筐体でも、かご室壁の表面にかご操作盤を固定するタイプのエレベータに適用すると、鋭利な角部がかご室内に露出しているため、かご室壁が意図せず変形した場合に、衣服又は荷物が引っ掛かる可能性が生じる。また、据付時の作業性が低下する。【０００７】
この発明は、上記のような課題を解決するためになされたものであり、鋭利な角部の露出を低減することができるエレベータの操作盤を得ることを目的とする。
【課題を解決するための手段】
【０００８】
この発明に係るエレベータの操作盤は、ベースと、ベースに組み合わされているカバーとを有している筐体を備え、ベースは、壁に固定される背板部と、背板部の上下方向の端部からカバー側へ直角に突出している横板部と、背板部の幅方向の端部からカバー側へ直角に突出している縦板部とを有しており、背板部、横板部、及び縦板部は、共通の平板に折り曲げ加工を施して形成されており、横板部の筐体外に臨む外面と、縦板部の上下方向の横板部側の端面とは、同一平面内に配置されており、背板部と横板部との間には、Ｌ字形のスリットが設けられており、スリットは、横板部の幅方向の縦板部側の端部から横板部の幅方向に沿って設けられている直線部と、直線部の縦板部とは反対側の端部から背板部内に突出している突出部とを有しており、背板部に対して横板部が折り曲げられた状態では、横板部の直線部に臨む面が、背板部の壁とは反対側の面に重ねられている。
また、この発明に係るエレベータの操作盤は、ベースと、ベースに組み合わされているカバーとを有している筐体を備え、ベースは、壁に固定される背板部と、背板部の上下方向の端部からカバー側へ直角に突出している横板部と、背板部の幅方向の端部からカバー側へ直角に突出している縦板部とを有しており、背板部、横板部、及び縦板部は、共通の平板に折り曲げ加工を施して形成されており、縦板部の筐体外に臨む外面と、横板部の幅方向の縦板部側の端面とは、同一平面内に配置されており、背板部と縦板部との間には、Ｌ字形のスリットが設けられており、スリットは、縦板部の上下方向の横板部側の端部から上下方向に沿って設けられている直線部と、直線部の横板部とは反対側の端部から背板部内に突出している突出部とを有しており、背板部に対して縦板部が折り曲げられた状態では、縦板部の直線部に臨む面が、背板部の壁とは反対側の面に重ねられている。
【発明の効果】
【０００９】
この発明のエレベータの操作盤は、Ｌ字形のスリットを設けることにより、折り曲げにより生じる孔を背板部に逃がすことができ、鋭利な角部の露出を低減することができる。
【図面の簡単な説明】
【００１０】
【図１】この発明の実施の形態１によるエレベータのかご操作盤の設置状態を示す正面図である。
【図２】図１のかご操作盤を拡大して示す正面図である。
【図３】図２のかご操作盤を示す右側面図である。
【図４】図２のかご操作盤を示す底面図である。
【図５】図３のベースを示す正面図である。
【図６】図５のベースの展開図である。
【図７】図６のＶＩＩ部を拡大して示す正面図である。
【図８】図５のＶＩＩＩ部を拡大して示す正面図である。
【図９】図８に示した部分の背面図である。
【図１０】この発明の実施の形態２によるかご操作盤の筐体のベースを示す正面図である。
【図１１】図１０のベースの展開図である。
【発明を実施するための形態】
【００１１】
以下、この発明を実施するための形態について、図面を参照して説明する。
実施の形態１．
図１はこの発明の実施の形態１によるエレベータのかご操作盤の設置状態を示す正面図である。図において、かご室の前面には、かご出入口１を開閉する一対のかごドア２ａ，２ｂが設けられている。かご出入口１の両側には、一対の袖壁３ａ，３ｂが設けられている。袖壁３ａには、かご操作盤４が固定されている。
【００１２】
図２は図１のかご操作盤４を拡大して示す正面図、図３は図２のかご操作盤４を示す右側面図、図４は図２のかご操作盤４を示す底面図である。かご操作盤４は、筐体５と、筐体５内に組み込まれた複数の操作盤機器とを有している。
【００１３】
操作盤機器には、インジケータ６、かご操作ボタン装置７、及び制御ボックス（図示せず）等が含まれている。インジケータ６としては、例えばＬＥＤインジケータが用いられている。かご操作ボタン装置７には、かご室内から操作される複数の行先階指定ボタンが設けられている。
【００１４】
筐体５は、幅寸法（図２の左右方向の寸法）よりも高さ寸法（図２の上下方向の寸法）の方が大きく、厚さ寸法（図３の左右方向の寸法）が幅寸法よりも小さい縦長薄型の外形を有している。
【００１５】
また、筐体５は、袖壁３ａに固定されたベース（ボックス）１１と、ベース１１に組み合わされているカバー（フェースプレート）１２とを有している。カバー１２は、筐体５内の下部で、２本のねじ１３によりベース１１に固定されている。
【００１６】
ベース１１は、袖壁３ａの表面に重ねられて固定されている背板部１１１と、背板部１１１の上端部からカバー１２側（袖壁３ａとは反対側）へ直角に突出したベース上板部１１２と、背板部１１１の下端部からカバー１２側へ直角に突出したベース下板部１１３と、背板部１１１の幅方向両端部からカバー１２側へ直角に突出した第１及び第２のベース側板部１１４，１１５とを有している。
【００１７】
背板部１１１、ベース上板部１１２、ベース下板部１１３、第１のベース側板部１１４、及び第２のベース側板部１１５は、共通の平板である鋼板に折り曲げ加工を施して形成されている。背板部１１１の正面形状は、矩形である。
【００１８】
カバー１２は、背板部１１１に対向する正面部１２１と、正面部１２１の上端部からベース１１側（袖壁３ａ側）へ直角に突出したカバー上板部１２２と、正面部１２１の下端部からベース１１側へ直角に突出したカバー下板部１２３と、正面部１２１の幅方向両端部からベース１１側へ直角に突出した第１及び第２のカバー側板部１２４，１２５とを有している。
【００１９】
カバー上板部１２２は、ベース上板部１１２上に部分的に重ねられている。第１のカバー側板部１２４は、第１のベース側板部１１４の外側に部分的に重ねられている。第２のカバー側板部１２５は、第２のベース側板部１１５の外側に部分的に重ねられている。
【００２０】
カバー下板部１２３のベース１１側の端面は、ベース下板部１１３のカバー１２側の端面に対向している。筐体５の下端部であるカバー下板部１２３には、ねじ１３を回転させる工具、例えばドライバを挿入するための一対の工具挿入孔１２３ａが設けられている。
【００２１】
図５は図３のベース１１を示す正面図である。ベース上板部１１２は、筐体５外に臨む外面である上板部上面１１２ａと、筐体５内に臨む内面である上板部下面１１２ｂと、幅方向の第１の端面１１２ｃと、幅方向の第２の端面１１２ｄとを有している。
【００２２】
ベース下板部１１３は、筐体５外に臨む外面である下板部下面１１３ａと、筐体５内に臨む内面である下板部上面１１３ｂと、幅方向の第１の端面１１３ｃと、幅方向の第２の端面１１３ｄとを有している。
【００２３】
下板部上面１１３ｂは、上板部下面１１２ｂに対向している。上板部上面１１２ａは、ベース上板部１１２のベース下板部１１３に対向する面（上板部下面１１２ｂ）とは反対側の面である。下板部下面１１３ａは、ベース下板部１１３のベース上板部１１２に対向する面（下板部上面１１３ｂ）とは反対側の面である。
【００２４】
第１のベース側板部１１４は、筐体５外に臨む外面である第１の側板部外面１１４ａと、筐体５内に臨む内面である第１の側板部内面１１４ｂと、上下方向のベース上板部１１２側の端面である第１の上端面１１４ｃと、上下方向のベース下板部１１３側の端面である第１の下端面１１４ｄとを有している。
【００２５】
第２のベース側板部１１５は、筐体５外に臨む外面である第２の側板部外面１１５ａと、筐体５内に臨む内面である第２の側板部内面１１５ｂと、上下方向のベース上板部１１２側の端面である第２の上端面１１５ｃと、上下方向のベース下板部１１３側の端面である第２の下端面１１５ｄとを有している。
【００２６】
第２の側板部内面１１５ｂは、第１の側板部内面１１４ｂに対向している。第１の側板部外面１１４ａは、第１のベース側板部１１４の第２のベース側板部１１５に対向する面（第１の側板部内面１１４ｂ）とは反対側の面である。第２の側板部外面１１５ａは、第２のベース側板部１１５の第１のベース側板部１１４に対向する面（第２の側板部内面１１５ｂ）とは反対側の面である。
【００２７】
ベース上板部１１２は、第１及び第２のベース側板部１１４，１１５の上端部間に配置されている。上板部上面１１２ａと、第１の上端面１１４ｃと、第２の上端面１１５ｃとは、同一水平面内に配置されている。ベース上板部１１２の第１の端面１１２ｃは、第１の側板部内面１１４ｂの上端部に、微小な隙間を介して対向、又は接している。ベース上板部１１２の第２の端面１１２ｄは、第２の側板部内面１１５ｂの上端部に、微小な隙間を介して対向、又は接している。
【００２８】
ベース下板部１１３は、第１及び第２のベース側板部１１４，１１５の下端部間に配置されている。下板部下面１１３ａと、第１の下端面１１４ｄと、第２の下端面１１５ｄとは、同一水平面内に配置されている。ベース下板部１１３の第１の端面１１３ｃは、第１の側板部内面１１４ｂの下端部に、微小な隙間を介して対向、又は接している。ベース下板部１１３の第２の端面１１３ｄは、第２の側板部内面１１５ｂの下端部に、微小な隙間を介して対向、又は接している。
【００２９】
実施の形態１の横板部は、ベース上板部１１２及びベース下板部１１３である。実施の形態１の縦板部は、第１のベース側板部１１４及び第２のベース側板部１１５である。
【００３０】
図６は図５のベース１１の展開図、図７は図６のＶＩＩ部を拡大して示す正面図、図８は図５のＶＩＩＩ部を拡大して示す正面図、図９は図８に示した部分の背面図である。背板部１１１とベース上板部１１２との間には、Ｌ字形の第１及び第２のスリット２１，２２が設けられている。また、背板部１１１とベース下板部１１３との間には、Ｌ字形の第３及び第４のスリット２３，２４が設けられている。
【００３１】
第１及び第２のスリット２１，２２は、ベース１１の幅方向（図６の左右方向）の中心に対して左右対称に配置されている。同様に、第３及び第４のスリット２３，２４は、ベース１１の幅方向の中心に対して左右対称に配置されている。
【００３２】
第１のスリット２１は、ベース上板部１１２の幅方向（図６の左右方向）の第１のベース側板部１１４側の端部からベース上板部１１２の幅方向に沿って設けられている第１の直線部２１ａと、第１の直線部２１ａの第１のベース側板部１１４とは反対側の端部から背板部１１１内に突出している第１の突出部２１ｂとを有している。
【００３３】
第２のスリット２２は、ベース上板部１１２の幅方向の第２のベース側板部１１５側の端部からベース上板部１１２の幅方向に沿って設けられている第２の直線部２２ａと、第２の直線部２２ａの第２のベース側板部１１５とは反対側の端部から背板部１１１内に突出している第２の突出部２２ｂとを有している。
【００３４】
第３のスリット２３は、ベース下板部１１３の幅方向（図６の左右方向）の第１のベース側板部１１４側の端部からベース下板部１１３の幅方向に沿って設けられている第３の直線部２３ａと、第３の直線部２３ａの第１のベース側板部１１４とは反対側の端部から背板部１１１内に突出している第３の突出部２３ｂとを有している。
【００３５】
第４のスリット２４は、ベース下板部１１３の幅方向の第２のベース側板部１１５側の端部からベース下板部１１３の幅方向に沿って設けられている第４の直線部２４ａと、第４の直線部２４ａの第２のベース側板部１１５とは反対側の端部から背板部１１１内に突出している第４の突出部２４ｂとを有している。
【００３６】
背板部１１１に対してベース上板部１１２及びベース下板部１１３が折り曲げられた状態では、ベース上板部１１２の第１及び第２の直線部２１ａ，２２ａに臨む面、及びベース下板部１１３の第３及び第４の直線部２３ａ，２４ａに臨む面が、背板部１１１の袖壁３ａとは反対側の面に重ねられている。即ち、直線部２１ａ，２２ａのベース上板部１１２側の壁面と、直線部２３ａ，２４ａのベース下板部１１３側の壁面とは、背板部１１１に、微小な隙間を介して対向、又は接している。
【００３７】
直線部２１ａ，２２ａ，２３ａ，２４ａの開放端から突出部２１ｂ，２２ｂ，２３ｂ，２４ｂまでの長さＬ１（図７）は、板厚の３倍以上とするのが好適である。
【００３８】
図７に示すように、スリット２３，２４に突出部２３ｂ，２４ｂをそれぞれ設けたことにより、ベース下板部１１３の背板部１１１に対する折り曲げ部の中心線Ｃ２は、第１及び第２の下端面１１４ｄ，１１５ｄよりもＷ１だけ上方へずらされている。これと上下対称に、ベース上板部１１２の背板部１１１に対する折り曲げ部の中心線Ｃ１は、第１及び第２の上端面１１４ｃ，１１５ｃよりもＷ１だけ下方へずらされている。
【００３９】
また、第１の端面１１２ｃ，１１３ｃ及び第２の端面１１２ｄ，１１３ｄは、第１及び第２のベース側板部１１４，１１５の背板部１１１に対する折り曲げ部の中心線Ｃ３，Ｃ４に対して、ベース１１の幅方向の内側にＷ２だけずらされている。
【００４０】
上記のように、実施の形態１のエレベータの操作盤４では、背板部１１１とベース上板部１１２との間に第１及び第２のスリット２１，２２が設けられており、背板部１１１とベース下板部１１３との間に第３及び第４のスリット２３，２４が設けられている。また、上板部上面１１２ａと、第１の上端面１１４ｃと、第２の上端面１１５ｃとが、同一水平面内に配置されている。さらに、下板部下面１１３ａと、第１の下端面１１４ｄと、第２の下端面１１５ｄとは、同一水平面内に配置されている。このため、ベース１１の四隅の角部の露出を少なくすることができる。
【００４１】
また、第１ないし第４のスリット２１，２２，２３，２４の形状をＬ字形としたので、ベース上板部１１２及びベース下板部１１３の折り曲げにより生じる孔、即ち突出部２１ｂ，２２ｂ，２３ｂ，２４ｂを背板部１１１に逃がすことができ、鋭利な角部の露出を低減することができる。
【００４２】
さらに、ベース１１を１枚の鋼板から製作可能で、材料効率が良い。
さらにまた、溶接、及び後加工による角落とし仕上げが不要で、加工が少なく済む。
【００４３】
また、スリット２１，２２，２３，２４をベース上板部１１２及びベース下板部１１３と背板部１１１との間に設けたので、スリット２１，２２，２３，２４をより目立たなくすることができ、意匠性の低下を防止できる。
【００４４】
実施の形態２．
次に、図１０はこの発明の実施の形態２によるかご操作盤の筐体のベースを示す正面図、図１１は図１０のベースの展開図である。
【００４５】
第１のベース側板部１１４は、ベース上板部１１２の幅方向の第１の端部と、ベース下板部１１３の幅方向の第１の端部との間に配置されている。第１の側板部外面１１４ａと第１の端面１１２ｃ，１１３ｃとは、同一垂直面内に配置されている。第１の上端面１１４ｃは、上板部下面１１２ｂの幅方向の第１の端部に、微小な隙間を介して対向、又は接している。第１の下端面１１４ｄは、下板部上面１１３ｂの幅方向の第１の端部に、微小な隙間を介して対向、又は接している。
【００４６】
第２のベース側板部１１５は、ベース上板部１１２の幅方向の第２の端部と、ベース下板部１１３の幅方向の第２の端部との間に配置されている。第２の側板部外面１１５ａと第２の端面１１２ｄ，１１３ｄとは、同一垂直面内に配置されている。第２の上端面１１５ｃは、上板部下面１１２ｂの幅方向の第２の端部、微小な隙間を介して対向、又はに接している。第２の下端面１１５ｄは、下板部上面１１３ｂの幅方向の第２の端部に、微小な隙間を介して対向、又は接している。
【００４７】
実施の形態２の横板部は、ベース上板部１１２及びベース下板部１１３である。実施の形態２の縦板部は、第１のベース側板部１１４及び第２のベース側板部１１５である。
【００４８】
背板部１１１と第１のベース側板部１１４との間には、Ｌ字形の第１及び第２のスリット３１，３２が設けられている。また、背板部１１１と第２のベース側板部１１５との間には、Ｌ字形の第３及び第４のスリット３３，３４が設けられている。
【００４９】
第１及び第２のスリット３１，３２は、ベース１１の上下方向の中心に対して上下対称に配置されている。同様に、第３及び第４のスリット３３，３４は、ベース１１の上下方向の中心に対して上下対称に配置されている。
【００５０】
第１のスリット３１は、第１のベース側板部１１４の上端部から上下方向に沿って設けられている第１の直線部３１ａと、第１の直線部３１ａのベース上板部１１２とは反対側の端部（下端部）から背板部１１１内に突出している第１の突出部３１ｂとを有している。
【００５１】
第２のスリット３２は、第１のベース側板部１１４の下端部から上下方向に沿って設けられている第２の直線部３２ａと、第２の直線部３２ａのベース下板部１１３とは反対側の端部（上端部）から背板部１１１内に突出している第２の突出部３２ｂとを有している。
【００５２】
第３のスリット３３は、第２のベース側板部１１５の上端部から上下方向に沿って設けられている第３の直線部３３ａと、第３の直線部３３ａのベース上板部１１２とは反対側の端部（下端部）から背板部１１１内に突出している第３の突出部３３ｂとを有している。
【００５３】
第４のスリット３４は、第２のベース側板部１１５の下端部から上下方向に沿って設けられている第４の直線部３４ａと、第４の直線部３４ａのベース下板部１１３とは反対側の端部（上端部）から背板部１１１内に突出している第４の突出部３４ｂとを有している。
【００５４】
背板部１１１に対して第１及び第２の側板部１１４，１１５が折り曲げられた状態では、第１のベース側板部１１４の第１及び第２の直線部３１ａ，３２ａに臨む面、及び第２のベース側板部１１５の第３及び第４の直線部３３ａ，３４ａに臨む面が、背板部１１１の袖壁３ａとは反対側の面に重ねられている。即ち、直線部３１ａ，３２ａの第１のベース側板部１１４側の壁面と、直線部３３ａ，３４ａの第２のベース側板部１１５側の壁面とは、背板部１１１に、微小な隙間を介して対向、又は接している。
【００５５】
スリット３１，３２に突出部３１ｂ，３２ｂをそれぞれ設けたことにより、第１及び第２のベース側板部１１４，１１５の背板部１１１に対する折り曲げ部の中心線Ｃ３，Ｃ４は、第１の端面１１２ｃ，１１３ｃ及び第２の端面１１２ｄ，１１３ｄに対して、ベースの幅方向の内側にＷ１（図７）だけずらされている。
【００５６】
第１及び第２の上端面１１４ｃ，１１５ｃは、ベース上板部１１２の背板部１１１に対する折り曲げ部の中心線Ｃ１に対してＷ２（図７）だけ下方へずらされている。これと上下対称に、第１及び第２の下端面１１４ｄ，１１５ｄは、ベース下板部１１３の背板部１１１に対する折り曲げ部の中心線Ｃ２に対して、Ｗ２だけ上方へずらされている。他の構成は、実施の形態１と同様である。
【００５７】
このような構成によっても、ベース１１の四隅の角部の露出を少なくすることができる。また、第１及び第２のベース側板部１１４，１１５の折り曲げにより生じる孔、即ち突出部３１ｂ，３２ｂ，３３ｂ，３４ｂを背板部１１１に逃がすことができ、鋭利な角部の露出を低減することができる。さらに、ベースを１枚の鋼板から製作可能で、材料効率が良い。さらにまた、溶接、及び後加工による角落とし仕上げが不要で、加工が少なく済む。
【００５８】
なお、上記の例では、スリットをベースの四隅に配置したが、必ずしも四隅全てに配置しなくてもよい。
また、この発明は、エレベータの乗場操作盤にも適用できる。
【図１】
2016147249.tif 000003
【図２】
2016147249.tif 000004
【図３】
2016147249.tif 000005
【図４】
2016147249.tif 000006
【図５】
2016147249.tif 000007
【図６】
2016147249.tif 000008
【図７】
2016147249.tif 000009
【図８】
2016147249.tif 000010
【図９】
2016147249.tif 000011
【図１０】
2016147249.tif 000012
【図１１】
2016147249.tif 000013
【国際調査報告】
2016147249.tif 000014
2016147249.tif 000015
2016147249.tif 000016
2016147249.tif 000017